(57)【要約】【課題】  テレビジョン装置において、アナログ放送受信装置用のダイレクトチャンネル選局キーを押した場合に、このキーに対応したデジタル放送のチャンネルを選局する。【解決手段】  デジタルテレビジョン放送受信装置１１１の設定が、地上アナログ放送終了モード時には、リモートコントローラ１１７から地上アナログ放送のチャンネルが指定されたら対応する地上デジタル放送のチャンネルと置き換えて認識し、チャンネルを選局する。また、地上アナログ放送／地上デジタル放送混在モード時には、リモートコントローラ１１７から地上アナログ放送のチャンネルが指定されたら対応する地上アナログ放送のチャンネルを選局する。【選択図】      図７
2008252820.tif 000002
【特許請求の範囲】
【請求項１】
アナログ放送チューナと、
デジタル放送チューナと、
アナログ放送のチャンネルに対応するキーを有するリモートコントローラからのチャンネル切り替え信号を受信する受信手段と、
前記受信手段により受信されたチャンネル切り替え信号に応じてチャンネルを切り替えるチャンネル切替手段と、
第１の選局モードおよび第２の選局モードのいずれのモードであるかを示す情報を記憶するモード記憶手段とを有し、
前記チャンネル切替手段は、
前記モード記憶手段に記憶されているモードが前記第１の選局モードのときには、アナログ放送のチャンネルに対応するキーによるチャンネル切り替え信号を受信したときに、前記キーによるチャンネル番号のアナログ放送のチャンネルを前記アナログ放送チューナに選局させ出力させ、
前記モード記憶手段に記憶されているモードが前記第２の選局モードのときには、アナログ放送のチャンネルに対応するキーによるチャンネル切り替え信号を受信したときに、前記キーによるチャンネル番号のデジタル放送のチャンネルを前記デジタル放送チューナに選局させ出力させることを特徴とするテレビジョン装置。
【請求項２】
更に、アナログ放送が終了したことを検出する検出手段を備え、
前記検出手段によりアナログ放送が終了したときに前記モード記憶手段に第２の選局モードであるかを示す情報を記憶させる制御手段とを備えたことを特徴とする請求項１記載のテレビジョン装置。
【請求項３】
前記対応するとは、同じ放送局で対応していることを特徴とする請求項１または２記載のテレビジョン装置。
【請求項４】
前記対応するとは、同じチャンネル番号で対応していることを特徴とする請求項１または２記載のテレビジョン装置。
【発明の詳細な説明】
【技術分野】
【０００１】
この発明は、テレビジョン装置に関し、特にアナログ放送受信機能とデジタル放送受信機能の両方を備えたテレビジョン装置に関する。
【背景技術】
【０００２】
テレビジョン放送においてはアナログ放送からデジタル放送への移行が進められており、放送受信装置についてもアナログ放送とデジタル放送の両方が受信可能な放送受信装置が販売されている。
【０００３】
デジタル放送へ完全に移行してしまった後、アナログ放送およびデジタル放送の両方に対応した放送受信装置のアナログ放送受信に関する機能は意味を持たない不要な機能となる。
【０００４】
このようなデジタル放送へ完全に移行してしまった後、放送受信装置として種々機能を変えるものとして、アナログ放送の停波後、所定の切り替え操作によって、アナログ放送受信処理部の電源供給を停止すると共に、アナログ放送に関わる機能を無効化する放送受信装置が知られている（例えば、特許文献１参照）。
【０００５】
また、従来アナログ放送受信機能とデジタル放送受信機能の両方を備えた放送受信装置のリモートコントローラとして、アナログ放送受信装置用のダイレクトチャンネル選局キーとデジタル放送受信装置用のダイレクトチャンネル選局キーの両方を有する放送受信装置用リモートコントローラが知られている。このリモートコントローラに特許文献１の発明を適用した場合、アナログ放送受信装置用のダイレクトチャンネル選局キーを無効にしてしまうものとなる。こうした場合、リモートコントローラに設けられたアナログ放送受信装置用のダイレクトチャンネル選局キーを用いて放送されている番組を受信できないものとなってしまうという問題がある。
【特許文献１】特開２００６−１０８９７４号公報
【発明の開示】
【発明が解決しようとする課題】
【０００６】
このように従来のテレビジョン装置においては、アナログ放送受信装置用のダイレクトチャンネル選局キーを用いて放送されている番組を受信できないという問題があった。
【０００７】
この発明は、アナログ放送受信装置用のダイレクトチャンネル選局キーを用いて放送されている番組を受信できるテレビジョン装置を提供することを目的とする。
【課題を解決するための手段】
【０００８】
上記の目的を達成するために、この発明においては、アナログ放送チューナと、デジタル放送チューナと、アナログ放送のチャンネルに対応するキーを有するリモートコントローラからのチャンネル切り替え信号を受信する受信手段と、前記受信手段により受信されたチャンネル切り替え信号に応じてチャンネルを切り替えるチャンネル切替手段と、第１の選局モードおよび第２の選局モードのいずれのモードであるかを示す情報を記憶するモード記憶手段とを有し、前記チャンネル切替手段は、前記モード記憶手段に記憶されているモードが前記第１の選局モードのときには、アナログ放送のチャンネルに対応するキーによるチャンネル切り替え信号を受信したときに、前記キーによるチャンネル番号のアナログ放送のチャンネルを前記アナログ放送チューナに選局させ出力させ、前記モード記憶手段に記憶されているモードが前記第２の選局モードのときには、アナログ放送のチャンネルに対応するキーによるチャンネル切り替え信号を受信したときに、前記キーによるチャンネル番号のデジタル放送のチャンネルを前記デジタル放送チューナに選局させ出力させることを特徴とするテレビジョン装置を提供する。
【０００９】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
この発明によれば、アナログ放送受信装置用のダイレクトチャンネル選局キーを押した場合に、このキーに対応したデジタル放送のチャンネルを選局するので、アナログ放送受信装置用のダイレクトチャンネル選局キーを用いて目的とする地上デジタル放送の番組を受信することができる。
【発明を実施するための最良の形態】
【００１１】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２６】
チューナ２４５ａは、制御部２６１からの制御信号により所望のチャンネルの放送信号を選局し、この選局された放送信号をＰＳＫ（Phase Shift Keying）復調器２４５ｂに出力する。
【００２７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２９】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３６】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３７】
また、字幕放送による字幕を表示するとき、グラフィック処理部２５４は、制御部２６１からの制御による字幕情報に基づき、映像信号上に字幕情報を重畳する処理を行う。
【００３８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４８】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５２】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
図３は、リモートコントローラ１１７の操作ボタンを詳細に説明するための図である。
図３において、リモートコントローラ１１７は、地上デジタル放送ダイレクトチャンネル選局キー３０１と、地上アナログ放送ダイレクトチャンネル選局キー３０２と、上下左右キー３０３と、決定キー３０４と、戻るキー３０５と、終了キー３０６等から構成されている。
【００５４】
リモートコントローラ１１７の地上デジタル放送ダイレクトチャンネル選局キー３０１を押すと、押されたキーに対応した地上デジタル放送のチャンネルがデジタルテレビジョン放送受信装置１１１で選局される。
【００５５】
また、リモートコントローラ１１７の地上アナログ放送ダイレクトチャンネル選局キー３０２を押すと、押されたキーに対応した地上アナログ放送のチャンネルがデジタルテレビジョン放送受信装置１１１で選局される。
【００５６】
図４は、地上アナログ／地上デジタル放送のチャンネルの配列の一例を示す図である。
局名「ＮＮＮ総合」は、地上アナログでは第１チャンネル番号、地上デジタルでは第１チャンネルが割り当てられている。
局名「ＮＮＮ教育」は、地上アナログでは第３チャンネル、地上デジタルでは第２チャンネルが割り当てられている。
局名「日日テレビ」は、地上アナログでは第４チャンネル、地上デジタルでは第４チャンネルが割り当てられている。
局名「ＴＢＢテレビ」は、地上アナログでは第６チャンネル、地上デジタルでは第６チャンネルが割り当てられている。
局名「フシテレビ」は、地上アナログでは第８チャンネル、地上デジタルでは第８チャンネルが割り当てられている。
局名「テレビ夕日」は、地上アナログでは第１０チャンネル、地上デジタルでは第５チャンネルが割り当てられている。
局名「テレビ東都」は、地上アナログでは第１２チャンネル、地上デジタルでは第７チャンネルが割り当てられている。
（モードの設定）
このデジタルテレビジョン放送受信装置１１１は、「デジタル放送／アナログ放送混在モード」と「デジタル放送終了モード」の２つのモードを有しており、例えば図５に示すモード設定用のＧＵＩ画面を介してユーザが予め設定することができるようになっている。この２つのモードのどちらのモードであるかは、例えば制御部２６１内の不揮発性メモリ２６１ｃに記憶される。この図５に示すＧＵＩ画面は、グラフィック処理部２５４により、従来から知られているＧＵＩ作成技術を用いて生成する。
【００５７】
（チャンネル選局動作）
次に、各モードにおけるチャンネル選局動作を図６のフローチャートを用いて詳細に説明する。
図６は、各モードにおけるチャンネル選局動作を説明するためのフローチャートである。
ステップＳ６０１：図６において、ユーザが地上アナログ放送ダイレクトチャンネル選局キー３０２を押す。この押されたキーに対応するコードがデジタルテレビジョン放送受信装置１１１へ供給される。
【００５８】
ステップＳ６０２：デジタルテレビジョン放送受信装置１１１の制御部２６１は、制御部２６１内の不揮発性メモリ２６１ｃに記憶されているモードが「デジタル放送／アナログ放送混在モード」と「デジタル放送終了モード」のいずれのモードにデジタルテレビジョン放送受信装置１１１が設定されているかを判断する。制御部２６１は、デジタルテレビジョン放送受信装置１１１が「デジタル放送／アナログ放送混在モード」に設定されていた場合にはステップＳ６０３へ進み、「デジタル放送終了モード」に設定されていた場合にはステップＳ６０４へ進む。
【００５９】
ステップＳ６０３：制御部２６１は、デジタルテレビジョン放送受信装置１１１が「デジタル放送／アナログ放送混在モード」に設定されているので図７（ａ）のテーブルを用いてチャンネル選局を行う。
【００６０】
図７は、地上アナログ放送ダイレクトチャンネル選局キーと放送局との対応表である。図７（ａ）はデジタル放送とアナログ放送とが混在して放送されているとき用の対応表であり、地上アナログ放送ダイレクトチャンネル選局キー３０２を押すと、対応するアナログ放送のチャンネルが選局される。
【００６１】
ステップＳ６０４：制御部２６１は、デジタルテレビジョン放送受信装置１１１が「デジタル放送終了モード」に設定されているので図７（ｂ）のテーブルを用いてチャンネル選局を行う。図７（ｂ）は地上アナログ放送が終了し、地上デジタル放送へ完全に移行した後用の対応表であり、地上アナログ放送ダイレクトチャンネル選局キー３０２を押すと、キーの番号に対応する地上デジタル放送のチャンネルが選局される。
【００６２】
例えば、アナログ放送でテレビ東都を視聴していたユーザは、地上アナログ放送ダイレクトチャンネル選局キー３０２の「１２」キーを押下することにより選局を行っている。しかし、アナログ放送が終了してしまうと地上アナログ放送ダイレクトチャンネル選局キー３０２の「１２」キーを押下しても、放送が行われていないために目的とするテレビ東都の番組を視聴することは出来ない。しかし、ユーザがＧＵＩ画面からデジタルテレビジョン放送受信装置１１１を「デジタル放送終了モード」に設定した後、チャンネルを選局すると、地上アナログ放送ダイレクトチャンネル選局キー３０２の「１２」キーが押されると、図７（ｂ）に示すように実際には地上デジタル放送の番号「７」、即ち地上デジタル放送によるテレビ東都の番組が選局される。この結果、地上放送が完全に地上デジタル放送へ移行した後でも、ユーザは地上アナログ放送ダイレクトチャンネル選局キー３０２を用いて、地上アナログ放送で記憶していた感覚で対応する地上デジタル放送の選局を行うことができる。
【００６３】
以上説明したとおり、アナログ放送受信装置用のダイレクトチャンネル選局キーを押した場合に、このキーに対応したデジタル放送のチャンネルを選局するので、アナログ放送受信装置用のダイレクトチャンネル選局キーを用いて目的とする地上デジタル放送の番組を受信することができる。
【００６４】
また、図８は、別のリモートコントローラ１１７の操作ボタンを詳細に説明するための図である。
本発明は、地上アナログ放送と地上デジタル放送とで独立したダイレクトチャンネル選局キーを持つものの他、図８に示すように地上アナログ放送と地上デジタル放送とで、ボタンを兼用しているリモートコントローラ１１７にも適用することができる。
【００６５】
図８では、モードスイッチ８０１をスライドさせることにより、地上アナログ放送のモードと地上デジタル放送のモードとを切り替えることができ、これに応じた選局キー８０２を押したときのコマンドがデジタルテレビジョン放送受信装置１１１へ送られる。
【００６６】
モードスイッチ８０１を上側へスライドさせさせると、選局キー８０２は地上アナログ放送のモードのキーとして動作する。逆に下側へスライドさせさせると、選局キー８０２は地上デジタル放送のモードのキーとして動作する。
【００６７】
デジタルテレビジョン放送受信装置１１１では、アナログ放送終了後の設定がされていた場合、例えアナログ放送切り替えのコードをリモートコントローラから受けたとしても、対応する地上デジタル放送のチャンネルを選局する。
【００６８】
（応用）
更に、応用としては周期的（例えば１日１回）にアナログ放送のチャンネルサーチを制御部２６１により行い、例えば１週間連続してアナログ放送での放送が行われていないことが検出できたならば、既にデジタル放送は終了したものとして、デジタルテレビジョン放送受信装置１１１を「デジタル放送終了モード」に自動的に設定するようにしても良い。
【００６９】
こうすることにより、ユーザがＧＵＩ等で「デジタル放送／アナログ放送混在モード」と「デジタル放送終了モード」のいずれのモードであるかを設定する煩わしさを解消することができる。
【００７０】
（変形例）
上記実施形態では、対応する地上デジタル放送へ切り替える場合、同じ放送局によるデジタル放送のチャンネルへと切り替えたが、これに変え、単純にデジタル放送のチャンネル、例えば地上アナログ放送のチャンネル“８”を押したら、単純に同じチャンネル番号である地上デジタル放送のチャンネル“８”を選局するようにしてもよい。この場合、図９に示すテーブルを用いて変換し、地上アナログ放送のチャンネルから、地上デジタル放送のチャンネルを選局する。
【００７１】
このように変形したとしても、本発明の効果を得ることができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７２】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】リモートコントローラ１１７の操作ボタンを詳細に説明するための図。
【図４】地上アナログ／地上デジタル放送のチャンネルの配列の一例を示す図。
【図５】モード設定用のＧＵＩ画面を示す図。
【図６】各モードにおけるチャンネル選局動作を説明するためのフローチャート。
【図７】選局用テーブルを示す図。
【図８】リモートコントローラ１１７の操作ボタンを詳細に説明するための図。
【図９】地上アナログ−地上デジタル放送のチャンネルの変換表を示す図。
【符号の説明】
【００７３】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008252820.tif 000003
【図２】
2008252820.tif 000004
【図３】
2008252820.tif 000005
【図４】
2008252820.tif 000006
【図５】
2008252820.tif 000007
【図６】
2008252820.tif 000008
【図７】
2008252820.tif 000009
【図８】
2008252820.tif 000010
【図９】
2008252820.tif 000011